(57)【要約】【課題】直交振幅変調を行う送信電力を正確に調整することができる、直交振幅変調を行う基地局及び送信電力測定方法を提供する。【解決手段】送信データ作成部１４では、送信するビット列により、各シンボル点の振幅がほぼ一定となるように固定のシンボルパターンを作成し、送信出力測定時にはこのパターンで送信部１２にデータ送信を行う。送信部１２から出力される信号は、検波回路１１によって検波され、送信出力の測定が行われる。検波回路１１によって測定された出力の結果は、送信出力部１３で判定され、送信出力の制御が行われる。【選択図】図１
2007295434.tif 000002
【特許請求の範囲】
【請求項１】
送信電力を出力する出力手段と、
前記送信電力を測定する測定手段と、
前記送信電力の測定結果に応じて前記送信電力の出力を制御する制御手段とを具える、直交振幅変調を行う基地局において、
各シンボル点の振幅がほぼ一定となるシンボルパターンを有するシンボル点の配置を行ったデータを作成し、前記送信電力の測定中に前記出力手段に前記データを送信するデータ作成及び送信手段を更に具えることを特徴とする基地局。
【請求項２】
前記シンボルパターンは、ＩＱ平面上でシンボル点と原点との距離がほぼ等しいシンボルパターンがあることを特徴とする請求項１記載の基地局。
【請求項３】
前記データを、アイドルバーストを用いて送信することを特徴とする請求項１又は２記載の基地局。
【請求項４】
送信電力を出力する出力ステップと、
前記送信電力を測定する測定ステップと、
前記送信電力の測定結果に応じて前記送信電力の出力を制御する制御ステップとを具える、直交振幅変調を行う送信電力測定方法において、
各シンボル点の振幅がほぼ一定となるシンボルパターンを有するシンボル点の配置を行ったデータを作成し、前記送信電力の測定中に前記データを送信するデータ作成及び送信ステップを更に具えることを特徴とする送信電力測定方法。
【請求項５】
前記シンボルパターンは、ＩＱ平面上でシンボル点と原点との距離がほぼ等しいシンボルパターンがあることを特徴とする請求項４記載の送信電力測定方法。
【請求項６】
前記データを、アイドルバーストを用いて送信することを特徴とする請求項４又は５記載の送信電力測定方法。
【発明の詳細な説明】
【技術分野】
【０００１】
本発明は、直交振幅変調を行う基地局及び送信電力測定方法に関する。
【背景技術】
【０００２】
従来、基地局内の温度に変化が生じた際には、検波回路によって自局の送信電力を検波することによって、自局の送信出力を測定し、送信電力を調整し、基地局の送信出力を保証している。
【０００３】
変調方式としてπ／４シフトＱＰＳＫを用いる場合、シンボル点が円周上に位置しているため、シンボル点の配置がランダムな送信データでも振幅が一定となり、自局の送信電力を正確に測定（検波）することができる。しかしながら、変調方式として直交振幅変調（ＱＡＭ）を用いる場合、シンボル点がＩＱ軸と直交するように配置されているため、シンボル点の位置によって原点からの距離が異なる。すなわち、送信されるデータに応じて送信バーストの振幅が広がりを持つことになる。したがって、振幅の変化による影響を少なくするために最初の数シンボル点（例えば、３〜４シンボル点）を用いて自局の送信電力を調整している（例えば、特許文献１，２）。
【特許文献１】特開平５−７１７８号公報
【特許文献２】特開２００１−３３３１２３号公報
【発明の開示】
【発明が解決しようとする課題】
【０００４】
しかしながら、上記特許文献１，２によれば、シンボル点の振幅の大小に関係なく最初の数シンボル点のみを用いている、すなわち、用いられるシンボル点の振幅にばらつきがあるので、自局の送信電力を正確に測定するとは限らず、その結果、送信電力を正確に調整できるとは限らない。
【課題を解決するための手段】
【０００５】
本発明の目的は、直交振幅変調を行う送信電力を正確に調整することができる、直交振幅変調を行う基地局及び送信電力測定方法を提供することである。
【０００６】
本発明による基地局は、
送信電力を出力する出力手段と、
前記送信電力を測定する測定手段と、
前記送信電力の測定結果に応じて前記送信電力の出力を制御する制御手段とを具える、直交振幅変調を行う基地局において、
各シンボル点の振幅がほぼ一定となるシンボルパターンを有するシンボル点の配置を行ったデータを作成し、前記送信電力の測定中に前記出力手段に前記データを送信するデータ作成及び送信手段を更に具えることを特徴とする。
【０００７】
本発明による送信電力測定方法は、
送信電力を出力する出力ステップと、
前記送信電力を測定する測定ステップと、
前記送信電力の測定結果に応じて前記送信電力の出力を制御する制御ステップとを具える、直交振幅変調を行う送信電力測定方法において、
各シンボル点の振幅がほぼ一定となるシンボルパターンを有するシンボル点の配置を行ったデータを作成し、前記送信電力の測定中に前記データを送信するデータ作成及び送信ステップを更に具えることを特徴とする。
【発明の効果】
【０００８】
本発明によれば、直交振幅変調を用いた送信で電力を測定するに際し、各シンボル点の振幅がほぼ一定となるシンボルパターンを有するシンボル点の配置を行ったデータを作成し、送信電力の測定中にデータを送信する。このように、各シンボル点の振幅がほぼ一定となるシンボルパターンを有するシンボル点を用いることによって、送信電力を正確に測定でき、その結果、送信電力を正確に調整できるようになる。
【発明を実施するための最良の形態】
【０００９】
本発明による基地局及び送信電力測定方法を、図面を参照しながら詳細に説明する。
図１は、本発明による基地局の実施の形態のブロック図である。この基地局は、パーソナル・ハンディホン・システム（ＰＨＳ）の基地局として使用され、アンテナ１と、ＲＦ（無線）部２と、ソフトウェア部３とを具え、ＲＦ部２は、検波回路１１と、送信部１２とを有し、ソフトウェア部３は、送信出力制御部１３と、送信データ作成部１４とを有する。
【００１０】
送信データ作成部１４では、送信するビット列により１６ＱＡＭのシンボル点の配置を行った送信データ（バースト）を作成し、送信データを送信部１２に送信する。送信部１２から出力される信号は、検波回路１１によって検波され、送信出力の測定が行われる。検波回路１１によって測定された出力の結果は、送信出力部１３で判定され、送信出力の制御が行われる。
【００１１】
本実施の形態では、図２に示すようにπ／４シフトＱＰＳＫ時の円周配置に近づくような、すなわち、各シンボル点の振幅がほぼ一定となるようにＩＱ平面上でシンボル点と原点との距離がほぼ等しい固定のシンボルパターン（１１０１），（１１１０），（１０１０），（１００１），（０００１），（００１０），（０１１０），（０１０１）を作成し、送信出力測定時にはこのパターンでデータ送信を行う。これによって、１６ＱＡＭでの送信データを出力する際にも、シンボル点の配置に起因する振幅の変化の影響がほとんどなくなり、検波回路１１は、π／４シフトＱＰＳＫ時と同様に自局の送信電力を正確に検波することができ、その結果、基地局の送信出力を正確に調整することができる。
【００１２】
上記シンボルパターンの配列順序を任意の順序（例えば、（１１０１），（０１１０），（１０１０），（０００１），（１１１０），（００１０），（０１０１），（１００１））とすることができるが、シンボル点を規則的な順序（例えば、（１１０１），（１１１０），（１０１０），（１００１），（０００１），（００１０），（０１１０），（０１０１））で配置する方が送信出力の安定の観点から有利である。
【００１３】
図３は、本発明による送信電力測定方法の実施の形態のフローチャートである。この場合、送信電力制御を開始するに際し、先ず、振幅がほぼ一定となるシンボルパターンのシンボル点の配置を有する送信出力測定用送信データを作成し、作成された送信出力測定用データが送信部１２に送信される（ステップＳ１）。送信出力測定用データを、好適にはアイドルバーストを利用して送信する。なお、アイドルバーストが存在しない場合には、送信出力測定用データを通話中に送信することもできる。
【００１４】
ＲＦ部２からアンテナ１を通じて電波が送信される（ステップＳ２）と、検波回路１１で送信電力が測定され（ステップＳ３）、測定された電力の判定、すなわち、測定された電力が規定値より大きいか否か判定する（ステップＳ４）。規定値よりも小さい場合、出力を上げ（ステップＳ５）、ステップＳ１に戻り、規定値よりも大きい場合、出力を下げ（ステップＳ６），ステップＳ１に戻り、電力が規定値通りである場合、送信電力制御を終了する。このように、測定された電力が規定値になるまで送信電力制御を続けることによって、送信出力を一定に保証することができる。
【００１５】
本発明は、上記実施の形態に限定されるものではなく、幾多の変更及び変形が可能である。例えば、上記実施の形態において、基地局をＰＨＳの基地局に用いる場合について説明したが、携帯電話機の基地局、アイバーストの基地局等にも適用することができる。
【００１６】
上記実施の形態において、八角形のシンボルパターン（１１０１），（１１１０），（１０１０），（１００１），（０００１），（００１０），（０１１０），（０１０１）について説明したが、振幅がほぼ一定となる他のシンボルパターン（例えば、ＩＱ平面上でシンボルと原点との距離がほぼ等しい星型のシンボルパターン）を用いることもできる。
【００１７】
上記実施の形態において１６ＱＡＭの場合について説明したが、３２ＱＡＭ，６４ＱＡＭ等の他のＱＡＭについても本発明を適用することができる。シンボル点の数が増加するに従ってシンボル点の配置に起因する振幅の変化の影響が大きくなるため、シンボル点の数が増加するに従って本発明による効果が大きくなる。
【図面の簡単な説明】
【００１８】
【図１】本発明による基地局の実施の形態のブロック図である。
【図２】本発明による送信電力測定方法におけるシンボル配置例を示す図である。
【図３】本発明による送信電力測定方法の実施の形態のフローチャートである。
【符号の説明】
【００１９】
１  アンテナ
２  ＲＦ（無線）部
３  ソフトウェア部
１１  検波回路
１２  送信部
１３  送信出力制御部
１４  送信データ作成部
【図１】
2007295434.tif 000003
【図２】
2007295434.tif 000004
【図３】
2007295434.tif 000005